(57)【特許請求の範囲】
【請求項１】
前後方向に長い長方形状のパレット（１０）を設け、該パレット（１０）の左右幅に略対応する長さのアーム部（２０ｂ）、該アーム部（２０ｂ）の両端から前方に延びる軸部（２０ａ）及び多数のノズル（２１）を有する梁部（２０ｃ）を一体的に有するパイプ製のカバーフレーム（２０）を設け、該カバーフレーム（２０）を前記パレット（１０）の上面に載置してその軸部（２０ａ）を該パレット（１０）に前後方向の軸心を中心として回動可能に連結するとともに、該カバーフレーム（２０）の上方への回動角度を所定値で規制する規制具（２３）を設け、前部に入浴者（Ａ）の頭部が露出する露出口（３０ａ）を有しかつ前後方向に折畳み可能な倒立容器状のカバー（３０）を設け、該カバー（３０）を前記カバーフレーム（２０）の梁部（２０ｃ）に摺動可能に載置して前記パレット（１０）の前部を除く上部を包囲することを特徴とするシャワー入浴洗浄装置。
【請求項２】
パレット（１０）の周縁部にカバーフレーム（２０）を格納する格納溝（１２）を形成したことを特徴とする請求項１記載のシャワー入浴洗浄装置。
【請求項３】
パレット（１０）の左右中間部に前後方向に延びる中間溝（１３）を形成し、該中間溝（１３）に洗浄水を上方に向けて噴出する下部ノズル（２６）を設けたことを特徴とする請求項１又は２記載のシャワー入浴洗浄装置。
【請求項４】
パレット（１０）をカバー（３０）から露出する前部で前後に分割したことを特徴とする請求項１〜３いずれか１項に記載のシャワー入浴洗浄装置。
【請求項５】
パレット（１０）を折畳み可能な台車（２）により支持したことを特徴とする請求項１〜４いずれか１項に記載のシャワー入浴洗浄装置。
【発明の詳細な説明】
【０００１】
【発明の属する技術分野】
本発明は、入浴者（患者）を寝かせて収容し、該入浴者に温水あるいは冷水等の洗浄水をかけて入浴・洗浄するシャワー入浴洗浄装置に関するものである。
【０００２】
【従来の技術】
従来の技術として、先に本出願人が出願した特開平１１−１１４００８号公報に記載されたもの、即ち、上面が開口した前後方向に細長い容器状の本体の上部に、枠体にネットを張ってなるストレッチャーを着脱可能に取付け、上記枠体の後部に下面が開口し且つ前部に被洗浄者の頭部が露出する露出口を有する倒立容器状のカバーを回動可能に取付け、本体及びカバーの内面に洗浄水を内方に向けて噴出する多数のノズルを設け、本体下面の前部と後部とに前輪と後輪とを取り付けてなる身体洗浄装置があった。
【０００３】
【発明が解決しようとする課題】
上記従来のものは、本体及びカバーが容器状となっていたので、保管及び設置する際に大きなスペースを要するものであった。また、これらの成型に大型の成型機を要し、製作費が嵩むものであった。本発明は、本体を板状にし、カバーを折畳み可能にすることにより、上記不具合を解消した新規なシャワーシャワー入浴洗浄装置を得ることを目的とする。
【０００４】
【課題を解決するための手段】
本発明は、上記目的を達成するために以下の如く構成したものである。即ち、請求項１に係る発明は、前後方向に長い長方形状のパレットを設け、該パレットの左右幅に略対応する長さのアーム部、該アーム部の両端から前方に延びる軸部及び多数のノズルを有する梁部を一体的に有するパイプ製のカバーフレームを設け、該カバーフレームを前記パレットの上面に載置してその軸部を該パレットに前後方向の軸心を中心として回動可能に連結するとともに、該カバーフレームの上方への回動角度を所定値で規制する規制具を設け、前部に入浴者の頭部が露出する露出口を有しかつ前後方向に折畳み可能な倒立容器状のカバーを設け、該カバーを前記カバーフレームの梁部に摺動可能に載置して前記パレットの前部を除く上部を包囲する構成にしたものである。
また、請求項２に係る発明は、パレットの周縁部にカバーフレームを格納する格納溝を形成したものである。また請求項３に係る発明は、パレットの左右中間部に前後方向に延びる中間溝を形成し、該中間溝に洗浄水を上方に向けて噴出する下部ノズルを設けたものである。また、請求項４に係る発明は、パレットをカバーから露出する前部で前後に分割したものである。また、請求項５に係る発明は、パレットを折畳み可能な台車により支持したものである。
【０００５】
【発明の実施の形態】
以下、本発明の実施の形態を図面に基いて説明する。図面において、図１は本発明の実施例を示す断面側面図、図２は図１のII-II 断面図、図３は本発明によるパレット部の平面図、図４は本発明の説明用分解斜視図である。
【０００６】
図１、図２において、１は本発明によるシャワー入浴洗浄装置であり、パイプ材により左右方向に折畳み可能にした台車２、プラスチック材により平板状に形成したパレット１０、パイプ製のカバーフレーム２０、及びパレット１０の上部を覆う前後方向に折畳み可能にした蛇腹式のカバー３０を主要部品として構成される。
【０００７】
上記台車２は図４に示すように、側面視枠状に形成した一対のサイドフレーム３，３を左右に起立配置し、各サイドフレーム３，３の下辺３ａ，３ａに逆Ｕ字状の連結フレーム４，４を回動可能に連結し、該連結フレーム４，４の前後の縦辺４ａ，４ａをＸ状に交叉させてその上下中間部を回動可能にピン連結し、各連結フレーム４，４の上辺４ｂ，４ｂを上記サイドフレーム３，３の上辺３ｂ，３ｂに回動可能に連結する。これにより平行リンクを構成し、上記各サイドフレーム３，３を左右方向に接離可能とする。
【０００８】
上記各縦辺４ａ，４ａの交叉部の上部に屈曲可能の連結リンク５を取付け、該連結リンク５により該縦辺４ａ，４ａの拡開角度を所定値に保持する。上記各サイドフレーム３，３の上辺３ｂ，３ｂに張力に富んだ可撓性かつ帯状の緊張体６を前後に所定の間隔をおいて取付け、該緊張体６によりパレット１０の底部を支持する。なお、この緊張体６は１枚のシートあるいはネットとしてもよい。また、上記各サイドフレーム３，３の前部側の起立辺３ｃ，３ｃに保持パイプ７を取付け、該保持パイプ７に平面視Ｕ字状に湾曲したパイプ製のトレイ受けフレーム８を着脱可能に嵌合させて支持する。また、上記各サイドフレーム３，３の起立辺３ｃ，３ｃの下端に車輪（キャスター）９を取付ける。
【０００９】
前述したパレット１０は、硬質製のプラスチック、例えばホリプロピレンにより、上面に一人の入浴者（患者）Ａが寝た姿勢で載置できる平面積、例えば前後（図３において左右）の長さが約１９９４ｍｍ、左右の幅が約７５５ｍｍなる平面視長方形状に形成され、後部側（図１において右部）の主体部１０ａと前部側（同図において左部）の洗髪トレイ部１０ｂとに分割されている。
【００１０】
上記主体部１０ａは、図３、図４に示すように、左右及び後部の縁部に断面山形に屈曲するフランジ部１１を形成し、該フランジ部１１の下面を前述したサイドフレーム３の上辺３ｂに着脱可能に嵌合させる。また、内周側に、上記フランジ部１１の内面に沿って延びる格納溝１２を、左右中心部に前後方向に延びる中間溝１３を、残余の部分に前後方向に断続して延びる多数の凹凸条１４をそれぞれ形成し、上記中間溝１３の後端部に排水孔１５を形成する。
【００１１】
上記洗髪トレイ部１０ｂは、上記主体部１０ａの前部に着脱可能に接続されるようになっており、図３に示すように、左右及び前部の縁部に上記主体部１０ａのフランジ部１１と連続する断面山形に屈曲するフランジ部１６を形成し、該フランジ部１１の下面を前述したトレイ受けフレーム８に着脱可能に嵌合させる。また、内周中心部に空気枕１９を嵌合保持する十字形の突起１７を形成し、残余の部分に前後方向に断続して延びる多数の凹凸条１８を形成する。
【００１２】
前述したパレット主体部１０ａの格納溝１２にコ字状に屈曲したパイプ製のカバーフレーム２０を出没可能に取付る。このカバーフレーム２０は、図３、図４に示すようになっている。即ち、格納溝１２の後部の長さに略対応する長さのアーム部２０ｂと、該アーム部２０ｂの一端（図４において右端）から前方に延出する短尺な軸部２０ａと、上記アーム部２０ｂの他端（図４において左端）から前方に延出する長尺な梁部２０ｃを一体的に連結し、軸部２０ａを上記格納溝１２の左側（図３において下側）の後部に嵌合させ、係止具２２により主体部１０ａに前後方向の軸心を中心として回動可能に取付け、これにより上記アーム部２０ｂ及び梁部２０ｃを格納溝１２の後部及び左部に出没可能嵌合させる。
【００１３】
上記梁部２０ｃは上記格納溝１２の右側（図３において上側）の略全長に相当する長さとし、該梁部２０ｃに多数のノズル２１を前後方向に所定の間隔をおいて取り付ける。このノズル２１は梁部２０ｃが主体部１０ａの左右中心の上方に移動した際に下方に向く如く仕向けて取付け、洗浄水（温水）をパレット１０上に寝た入浴者Ａの正面側の略全域に向けて噴出する。また、図４に示すように、上記アーム部２０ｂの中間部と主体部１０ａ後部の左右中間部とに屈曲可能な連結リンク（規制具）２３を取付け、該連結リンク２３によりアーム部２０ｂの上方への傾斜角度が約４５度となるように保持し、これにより上記梁部２０ｃの上方位置が主体部１０ａの左右中心部の上方となるように位置決めする。
【００１４】
前述した主体部１０ａの中間溝１３に下部吐出管２５を嵌合させ、該下部吐出管２５に多数の下部ノズル２６を前後方向に所定の間隔をおいて取り付ける。この下部ノズル２６は上方に向けて取付け、洗浄水（温水）をパレット１０上に寝た入浴者Ａの背部の左右中心部に向けて噴出するものである。
【００１５】
上記主体部１０ａの上面に多数の小孔４１が形成されたマット４０を着脱可能に載置する。このマット４０は前後に３分割され、前部側の２枚には、その左右中心部に前述した下部ノズル２６が露出する抜き孔４２を形成し、下部ノズル２６からの洗浄水が上方に向かって円滑に噴出できるようにする。
【００１６】
上記パレット１０の上部をカバー３０により覆う。このカバー３０は、拡開した際にパレット１０上に寝かせた入浴者Ａの頭部を除く身体部を包囲するようになっている。即ち、図１、図４に示すように、半円弧状（逆Ｕ字状）に湾曲した多数（本例では８本）の鋼線製の芯材３１を前後方向に離間配列し、該各芯材３６の外周に可撓性かつ非通水性のシート３２を被せてこれらに連結してなる蛇腹形とし、該カバー３０を下向きにして上記カバーフレーム２０の梁部２０ｃに前後摺動可能に載置する。この場合、図１に示すように、前後端部の芯材３１ａ，３１ｂは中間部の芯材３１よりも小さい半円弧状とし、これらを梁部２０ｃａの前後端に係止してカバー３０（シート３２）を緊張（拡開）する。
【００１７】
上記カバー３０の前面に露出口３０ａを形成するとともに、該前面に露出口３０ａを開閉するカーテン（図示省略）を取り付ける。これにより、上記露出口３０ａから入浴者Ａの頭部（顔部）を露出させるとともに、カーテンにより該入浴者Ａの首部の外周を包囲し、カバー３０内の湯気が入浴者Ａの顔部に向かって漏洩するのを防止する。
【００１８】
また、図３に示すように、前述したカバーフレーム２０の軸部２０ａの前端と下部吐出管２５の後端とを可撓性の連結ホース２７により接続し、該連結ホース２７に可撓性の導入ホース２８を接続する。各連結ホース２７及び導入ホース２８はパレット主体部１０ａに形成した凹凸条１４の所定の凹部及び格納溝１２内に収容する。また、上記主体部１０ａの後部中心部に切換弁２９を取付け、この切換弁２９に上記導入ホース２８、ハンドシャワー３８及び外部の温水供給装置３５の供給ホース３６を接続し、該切換弁２９を操作することによって温水供給装置３５からの湯（洗浄水）を上記導入ホース２８とハンドシャワー３８とに切り換える。
【００１９】
上記連結ホース２７及び導入ホース２８はパレット主体部１０ａに形成した凹凸条１４の所定の凹部及び格納溝１２内に嵌合固定し、上記ハンドシャワー３８はそのホース３８ａ及びヘッド３８ｂを主体部１０ａの周縁部に形成した溝（格納溝１２及び前部溝）に沿わせて嵌脱可能に収容する。また、上記温水供給装置３５は下部に車輪３７を取り付けて移動可能とし、その側壁に外部ハンドシャワー３９を取付ける。
【００２０】
次に上記実施例の使用態様について説明する。まず、パレット１０のマット４０上に洗浄者（患者）Ａを仰向きにして載置する。次いで軸部２０ａを中心としてカバーフレーム２０を上方に回動させ、その梁部２０ｃをパレット１０の左右中心部の上方に移動させる。次いでカバー３０を梁部２０ｃに載置して前後方向に拡開させるとともに、前後端部の芯材３１ａ，３１ｂを梁部２０ｃａの前後端に係止して上記カバー３０を緊張（拡開）し、該カバー３０により上記入浴者Ａの頭部を除く身体部を包囲する。
【００２１】
次いで温水発生装置３５の供給ホース３６をパレット１０側の切換弁２９に接続して該温水発生装置３５を作動させる。次いでハンドシャワー３８をパレット１０の溝部から引き出し、切換弁２９をハンドシャワー３８側に切換え、温水発生装置２０からの洗浄水（温水）をハンドシャワー３８から流出させてその温度を確認する。この温度が適温であることを確認した後、上記切換弁２９を導入ホース２８側に切り換える。さすれば、上記洗浄水が連結ホース２７を介してカバーフレーム２０の梁部２０ｃ、及び下部吐出管２５に向かって流れ、上下部の各ノズル２１，２６から上記洗浄者Ａに向かって噴出する。これにより上記洗浄者Ａは頭部を除く全身が一気に加温（入浴）及び洗浄されることになる。また、使用済みの洗浄水はパレット１０の排水口１５から排水ホース（図示省略）を経て外部に排出される。
【００２２】
上記入浴・洗浄が終了し、シャワー入浴洗浄装置１を折り畳む際には、以下の如くして折り畳む。即ち、上記供給ホース３６を切換弁２９から外し、次いでカバー３０を前後方向に折り畳んでカバーフレーム２０から取り外す。次いでハンドシャワー３８をパレット１０の周縁部の溝部に収容した後、カバーフレーム２０を、その軸部２０ａを中心として下方に回動させてそのアーム部２０ｂ及び梁部２０ｃをパレット１０の格納溝１２内に嵌合させる。次いで上記パレット１０の洗髪トレイ１０ｂを主体部１０ａから分離し、該主体部１０ａを台車２から離脱させた後、該台車２を折り畳む。これにより、各部品が面状となり、これらを小スペースの場所に格納することができる。
【００２３】
【発明の効果】
以上の説明から明らかな如く、本発明の請求項１にかかる発明は、板状のパレットに、コ字状のカバーフレームをその一側辺（軸部）で起倒可能に設け、該カバーフレームの他側辺（梁部）にノズルを設けるとともに、該他側辺で前後方向に折畳み可能な倒立容器状のカバーを着脱可能に支持するようにしたので、保管及び設置する際のスペースが低減するとともに、構造が簡素になって製作費が低減することになる。
また、請求項２に係る発明は、パレットの周縁部にカバーフレームを格納する格納溝を形成したので、折り畳んだ際にカバーフレームが外部に露出しなくなる。また請求項３に係る発明は、パレットの左右中間部に前後方向に延びる中間溝を形成し、該中間溝に下部ノズルを設けたので、パレットに寝た入浴者の背部を洗浄水により加温・洗浄することができる。また、請求項４に係る発明は、パレットをカバーから露出する前部で前後に分割したので、保管する際にパレットをコンパクトにすることができる。また、請求項５に係る発明は、パレットを折畳み可能な台車により支持したので、ベット部への移動及び該ベッドに寝た入浴者の移し替えが容易となる。
【図面の簡単な説明】
【図１】本発明の実施例を示す断面側面図である。
【図２】図１のII-II 断面図である。
【図３】本発明によるパレット部の平面図である。
【図４】本発明の説明用分解斜視図である。
【符号の説明】
１    シャワー入浴洗浄装置
２    台車
３    サイドフレーム
３ａ  下辺
３ｂ  上辺
３ｃ  起立辺
４    連結フレーム
４ａ  縦辺
４ｂ  上辺
５    連結リンク
６    緊張体
７    保持パイプ
８    トレイ受けフレーム
９    車輪
１０    パレット
１０ａ  主体部
１０ｂ  洗髪トレイ
１１    フランジ部
１２    格納溝
１３    中間溝
１４    凹凸条
１５    排水孔
１６    フランジ部
１７    突起
１８    凹凸条
１９    空気枕
２０    カバーフレーム
２０ａ  軸部
２０ｂ  アーム部
２０ｃ  梁部
２１    ノズル
２２    係止具
２３    連結リング（規制具）
２５    下部吐出管
２６    下部ノズル
２７    連結ホース
２８    導入ホース
２９    切換弁
３０    カバー
３０ａ  露出口
３１    芯材
３１ａ  先端部の芯材
３１ｂ  後端部の芯材
３２    シート
３５    温水供給装置
３６    供給ホース
３７    車輪
３８    ハンドシャワー
３９    外部ハンドシャワー
４０    マット
４１    小孔
４２    抜き孔
【図１】
0004394232.tif 000002
【図２】
0004394232.tif 000003
【図３】
0004394232.tif 000004
【図４】
0004394232.tif 000005